(57)【要約】【課題】任意の時点での透視像を容易に記録することができるＸ線撮影装置を提供する。【解決手段】透視撮像スイッチ１５が「オフ」の場合には通常の撮影が行われる一方、「オン」に設定された状態で撮影者により撮影開始用ハンドスイッチ２１が操作された場合、制御部１１は、Ｘ線検出器７からの信号に基づく透視像をデジタルデータで記憶部２９に記憶させる。したがって、透視撮像スイッチを「オン」に設定してさえおけば、撮影者が透視像を記録したいと考えた時点で、撮影開始用ハンドスイッチ２１を操作するだけで透視像を記録することができる。その結果、煩雑な設定を予め行うことなく、任意の時点での透視像を容易に記録できる。【選択図】図１
2007185238.tif 000002
【特許請求の範囲】
【請求項１】
Ｘ線管とＸ線検出器とを対向配置してなるＸ線撮影手段を備え、透視及び撮像が可能なＸ線撮影装置において、透視を指示する透視開始スイッチと、前記Ｘ線検出器からの信号に基づく画像を表示する表示手段と、前記Ｘ線検出器からの信号に基づく画像をデジタルデータで記憶する記憶手段と、透視時に透視像を前記記憶手段に記憶するか否かを予め設定する透視撮像スイッチと、透視撮像を指示する撮影開始スイッチと、前記透視撮像スイッチがオンの状態で前記撮影開始スイッチが操作された場合には、前記Ｘ線検出器からの信号に基づく透視像を前記記憶手段に記憶させる制御手段と、を備えていることを特徴とするＸ線撮影装置。
【請求項２】
請求項１に記載のＸ線撮影装置において、前記撮影開始スイッチの操作による前記透視像を、「一枚撮りモード」または「連続撮影モード」のいずれで記憶するかを予め設定するモード設定手段をさらに備えていることを特徴とするＸ線撮影装置。
【請求項３】
Ｘ線管とＸ線検出器とを対向配置してなるＸ線撮影手段を備え、透視及び撮像が可能なＸ線撮影装置において、前記Ｘ線検出器からの信号に基づく画像を表示する表示手段と、前記Ｘ線検出器からの信号に基づく画像をデジタルデータで記憶する記憶手段と、撮像を指示する撮像用撮影開始スイッチと、透視撮像を指示する透視撮像用撮影開始スイッチと、前記撮像用撮影開始スイッチが操作された場合には、前記Ｘ線検出器からの信号に基づく撮影像を前記記憶手段に記憶させ、透視時に前記透視撮像用撮影開始スイッチが操作された場合には、前記Ｘ線検出器からの信号に基づく透視像を前記記憶手段に記憶させる制御手段と、を備えていることを特徴とするＸ線撮影装置。
【請求項４】
請求項３に記載のＸ線撮影装置において、前記透視撮像用撮影開始スイッチの操作による前記透視像を、「一枚撮りモード」または「連続撮影モード」のいずれで記憶するかを予め設定するモード設定手段をさらに備えていることを特徴とするＸ線撮影装置。
【請求項５】
請求項１から４のいずれかに記載のＸ線撮影装置において、前記Ｘ線検出器は、フラットパネル型検出器であることを特徴とするＸ線撮影装置。
【発明の詳細な説明】
【技術分野】
【０００１】
この発明は、Ｘ線管とＸ線検出器とを備えたＸ線撮影手段により、透視像を得るための透視及び撮影像を得るための撮像が可能なＸ線撮影装置に関する。
【背景技術】
【０００２】
従来、この種の装置として、被検体が載置されるベッドと、Ｘ線管とＸ線検出器とを対向配置してなるＸ線撮影部と、透視を指示する透視指示スイッチと、撮像を指示する撮像指示スイッチと、透視や撮像による画像を表示する表示部と、撮像による撮影像を記憶するハードディスク装置と、透視指示スイッチが操作された場合には透視撮影用の条件でＸ線撮影部を制御し、Ｘ線検出器からの信号に基づく透視像を表示部に表示させ、撮像指示スイッチが操作された場合には撮像用の条件でＸ線撮影部を制御し、Ｘ線検出器からの信号に基づく撮影像をハードディスクに記憶させる制御部とを備えたＸ線透視撮影装置がある（例えば、特許文献１参照）。
【０００３】
上記のように構成されたＸ線透視撮影装置において透視撮影を行う場合には、透視像を表示部に表示させるだけで、記録は行わないのが一般的である。しかし、透視像を記録する場合には、Ｘ線検出器からの信号に基づくビデオ信号を取り出し、これをビデオレコーダに接続して連続的に記録するか、または、透視前に、制御部に指示を与えるコンソールなどから予め設定をしておき、その設定により限定された時間内だけハードディスク装置に記録するかが可能である。
【特許文献１】特開平６−１６５７７４号公報
【発明の開示】
【発明が解決しようとする課題】
【０００４】
しかしながら、このような構成を有する従来例の場合には、次のような問題がある。
すなわち、従来の装置は、ビデオレコーダを予め設定したり、コンソールから予め設定をしたりしておく必要があり、透視撮影中に撮影者が記録したいと考えたとしても即座に透視像を記録することができないという問題がある。なお、ビデオレコーダを用いる場合は、記録された透視像は解像度が低く診断には不適であり、ハードディスク装置への記録を行う場合であっても、コンソールを介してメニューを操作して設定する必要があり操作が極めて煩雑である。
【０００５】
この発明は、このような事情に鑑みてなされたものであって、任意の時点での透視像を容易に記録することができるＸ線撮影装置を提供することを目的とする。
【課題を解決するための手段】
【０００６】
この発明は、このような目的を達成するために、次のような構成をとる。
すなわち、請求項1に記載の発明は、Ｘ線管とＸ線検出器とを対向配置してなるＸ線撮影手段を備え、透視及び撮像が可能なＸ線撮影装置において、透視を指示する透視開始スイッチと、前記Ｘ線検出器からの信号に基づく画像を表示する表示手段と、前記Ｘ線検出器からの信号に基づく画像をデジタルデータで記憶する記憶手段と、透視時に透視像を前記記憶手段に記憶するか否かを予め設定する透視撮像スイッチと、透視撮像を指示する撮影開始スイッチと、前記透視撮像スイッチがオンの状態で前記撮影開始スイッチが操作された場合には、前記Ｘ線検出器からの信号に基づく透視像を前記記憶手段に記憶させる制御手段と、を備えていることを特徴とするものである。
【０００７】
［作用・効果］請求項1に記載の発明によれば、透視撮像スイッチがオフの場合には通常の撮影が行われる一方、オンに設定された状態で、透視中に撮影者により撮影開始スイッチが操作された場合、制御手段は、Ｘ線検出器からの信号に基づく透視像を記憶手段に記憶させる。したがって、透視撮像スイッチを「撮像を行う」に設定してさえおけば、透視像を記録したいと考えた時点で、撮影開始スイッチを操作するだけで透視像を記録することができる。その結果、煩雑な設定を予め行うことなく、任意の時点での透視像を容易に記録することができる。
【０００８】
また、この発明において、前記撮影開始スイッチの操作による前記透視像を、「一枚撮りモード」または「連続撮影モード」のいずれで記憶するかを予め設定するモード設定手段をさらに備えていることが好ましい（請求項２）。予めモード設定手段で「一枚撮り」か「連続撮影モード」を設定しておけば、撮影開始スイッチを操作するだけで透視像を一枚だけ撮影するか、連続した透視像を撮影するかを選択でき、術式等に応じた適切な撮影が可能となる。
【０００９】
また、請求項３に記載の発明は、Ｘ線管とＸ線検出器とを対向配置してなるＸ線撮影手段を備え、透視及び撮像が可能なＸ線撮影装置において、前記Ｘ線検出器からの信号に基づく画像を表示する表示手段と、前記Ｘ線検出器からの信号に基づく画像をデジタルデータで記憶する記憶手段と、撮像を指示する撮像用撮影開始スイッチと、透視撮像を指示する透視撮像用撮影開始スイッチと、前記撮像用撮影開始スイッチが操作された場合には、前記Ｘ線検出器からの信号に基づく撮影像を前記記憶手段に記憶させ、透視時に前記透視撮像用撮影開始スイッチが操作された場合には、前記Ｘ線検出器からの信号に基づく透視像を前記記憶手段に記憶させる制御手段と、を備えていることを特徴とするものである。
【００１０】
［作用・効果］請求項３に記載の発明によれば、撮像用撮影開始スイッチが操作された場合には、Ｘ線検出器からの信号に基づく撮影像を記憶手段に記憶させる通常の撮像が行われる一方、透視時に透視撮像用撮影開始スイッチが操作された場合には、Ｘ線検出器からの信号に基づく透視像を記憶手段に記憶させる透視撮像が行われる。したがって、透視像を記録したいと考えた時点で、単に透視撮像用開始スイッチを操作するだけで透視像を記録することができる。その結果、煩雑な設定を予め行うことなく、任意の時点での透視像を容易に記録することができる。
【００１１】
また、この発明において、前記透視撮像用撮影開始スイッチの操作による前記透視像を、「一枚撮りモード」または「連続撮影モード」のいずれで記憶するかを予め設定するモード設定手段をさらに備えていることが好ましい（請求項４）。
【００１２】
また、この発明において、前記Ｘ線検出器は、フラットパネル型検出器であることが好ましい（請求項５）。フラットパネル型検出器はイメージインテンシファイアなどの検出器に比較して感度が高いので、撮像に比較してＸ線量が低い透視のＸ線条件のまま撮像を行うことができる。したがって、この発明におけるＸ線検出器として好適である。
【発明の効果】
【００１３】
この発明に係るＸ線撮影装置によれば、透視撮像スイッチがオフの場合には通常の撮影が行われる一方、オンに設定された状態で、透視中に撮影者により撮影開始スイッチが操作された場合、制御手段は、Ｘ線検出器からの信号に基づく透視像を記憶手段に記憶させる。したがって、透視撮像スイッチを「撮像を行う」に設定してさえおけば、透視像を記録したいと考えた時点で、撮影開始スイッチを操作するだけで透視像を記録できる。その結果、煩雑な設定を予め行う必要がなく、任意の時点での透視像を容易に記録できる。
【実施例１】
【００１４】
以下、図面を参照してこの発明の実施例1を説明する。
図１は、実施例１に係るＸ線透視撮影装置の概略構成を示すブロック図である。
【００１５】
被検体Ｍを載置するためのベッド１には、Ｘ線撮影部３が付設されている。Ｘ線撮影部３は、Ｘ線管５とＸ線検出器７とが対向配置で備えている。Ｘ線検出器７は、例えば、半導体デバイスで透過Ｘ線を検出するフラットパネル検出器（ＦＰＤ（Flat Panel Detector）とも呼ばれる）であることが好ましいが、イメージインテンシファイアとカメラとの組み合わせによる構成としてもよい。高電圧発生器９は、指示されたＸ線条件に応じた管電流や管電圧をＸ線管５に対して付与する。そのＸ線条件は、制御部１１を介してコンソール１３から撮影者によって指示される。
【００１６】
なお、上記のＸ線撮影部３がこの発明におけるＸ線撮影手段に相当する。
【００１７】
コンソール１３は、透視用や撮像用にＸ線条件を設定するための設定キー等（図示省略）の他、透視撮像スイッチ１５と、モード設定スイッチ１７とを備えている。透視撮像スイッチ１５は、透視中にその透視像を記憶させるか否かを設定するものであり、記憶させる「ＯＮ」と、記憶させない「ＯＦＦ」とがある。モード設定スイッチ１７は、透視像を一枚だけ記憶させる「一枚撮り」と、連続的に複数枚の透視像を記憶させる「連続」とから選択可能となっている。
【００１８】
制御部１１に接続されている透視用フットスイッチ１９は、コンソール１３で設定された透視用のＸ線条件によるＸ線の曝射を開始させるととともに停止させる機能を備えている。また、同様に制御部１１に接続されている撮影開始用ハンドスイッチ２１は、透視撮像スイッチ１５がオンならば透視像の撮像を指示し、オフならば通常の撮像を指示するものである。透視撮像は、上記のモード設定スイッチ１７の設定に応じて行われる。すなわち、「一枚撮り」か、予め設定されている時間または枚数の「連続」で行われる。
【００１９】
なお、モード設定スイッチ１７がこの発明におけるモード設定手段に相当し、透視用フットスイッチ１９がこの発明における透視開始スイッチに相当し、撮影開始用ハンドスイッチ２１がこの発明における撮影開始スイッチに相当する。
【００２０】
Ｘ線検出器７からの出力信号は、デジタル信号として画像処理部２３に与えられる。画像処理部２３は、デジタル信号に対して所定の処理を施して画像のデジタルデータを生成する。所定の処理とは、例えば、デジタル信号に基づく画像データの構成や、構成された画像データのエッジ強調やコントラスト調整などである。所定の処理が施された画像データは、Ｄ／Ａ変換器２５を介して表示部２７に出力され、透視像や撮影像を表示する。表示部２７としては、例えば、液晶ディスプレイが挙げられる。
【００２１】
なお、上記の表示部２７がこの発明における表示手段に相当する。
【００２２】
制御部１１は、透視用フットスイッチ１９が操作された時点で、透視用のＸ線条件で高電圧発生器９を制御するとともに、Ｘ線を曝射させて透視像を表示部２７に表示させる。また、透視撮像スイッチ１５が「ＯＮ」に設定された状態で、撮影開始ハンドスイッチ２１が操作されたときには、透視用のＸ線条件でＸ線検出器７からの出力信号に基づくデジタルデータを記憶部２９に記憶する。記憶部２９は、例えば、ハードディスク装置である。この他に、例えば、光磁気ディスク、記録可能なDVD、フラッシュメモリなどが挙げられる。
【００２３】
次に、図２を参照して、上述したＸ線透視撮影装置の動作について説明する。なお、図２は、動作の流れを示すフローチャートである。
【００２４】
ステップＳ１
撮影者は、被検体Ｍをベッド１に載置させるとともに、関心部位が視野内に収まるように大まかな位置合わせを行う。そして、透視用フットスイッチ１９を撮影者が踏むことにより、制御部１１が高電圧発生器９を透視用のＸ線条件で制御し、被検体Ｍに対するＸ線の曝射を開始する。このときの透視像は表示部２７に表示されるので、必要に応じて関心部位の詳細な位置合わせを行う。なお、Ｘ線曝射は、透視用フットスイッチ１９の操作が解除されるまで継続される。
【００２５】
ステップＳ２
撮影開始用ハンドスイッチ２１が操作されたか否かに応じて処理を分岐する。
すなわち、操作された場合には、ステップＳ３に移行し、非操作である場合には、ステップＳ４に移行して透視を継続する。
【００２６】
ステップＳ３
透視撮像スイッチ１５の状態に応じて処理を分岐する。
すなわち、透視撮像スイッチ１５が「ＯＮ」である場合には、モード判別のステップＳ５に移行する。一方、透視撮像スイッチ１５が「ＯＦＦ」である場合には、ステップＳ３ａに移行して通常の撮影を行う。
【００２７】
ステップＳ５
モード設定スイッチ１７の設定状態に応じて処理を分岐する。
すなわち、モード設定スイッチ１７が「一枚撮り」に設定されている場合には、透視用のＸ線条件で透視像を一枚だけ撮影するとともに（ステップＳ６）、その透視像をデジタルデータとして記憶部２９に記憶する（ステップＳ７）。なお、その透視像を確認用に表示部２７に表示させるようにしてもよい。モード設定スイッチ１７が「連続」モードとなっている場合には、ステップＳ８に移行して、透視用のＸ線条件で透視像を連続的に複数枚撮影するとともに（ステップＳ８）、その連続した複数枚の透視像を記憶部２９に記憶する（ステップＳ９）。なお、複数枚の連続的な透視像を確認用に表示部２７に表示させるようにしてもよい。
【００２８】
ステップＳ１０
撮影開始用ハンドスイッチ２１の操作が解除されたか否かに応じて処理を分岐する。
すなわち、解除された場合には透視撮影を終了する一方、解除されていない場合にはステップＳ２に戻る。
【００２９】
上述したように、このＸ線透視撮影装置によると、透視撮像スイッチ１５が「オフ」の場合には通常の撮影が行われる一方、「オン」に設定された状態で撮影者により撮影開始用ハンドスイッチ２１が操作された場合、制御部１１は、Ｘ線検出器７からの信号に基づく透視像をデジタルデータで記憶部２９に記憶させる。したがって、透視撮像スイッチを「ＯＮ」に設定してさえおけば、撮影者が透視像を記録したいと考えた任意の時点で、撮影開始用ハンドスイッチ２１を操作するだけで透視像を記録することができる。その結果、煩雑な設定を予め行うことなく、任意の時点での透視像を容易に記録できる。
【実施例２】
【００３０】
次に、図面を参照してこの発明の実施例２を説明する。
図３は、実施例２に係るＸ線透視撮影装置の概略構成を示すブロック図である。なお、上述した実施例１と同様の構成については、同符号を付すことにより詳細な説明を省略する。
【００３１】
制御部１１Ａ（制御手段）に接続されているコンソール１３Ａは、上述した実施例１とは異なり、透視用や撮像用にＸ線条件を設定するための設定キー等（図示省略）を除いて、モード設定スイッチ１７だけを備えている。制御部１１Ａには、透視用フットスイッチ１９の他に、撮影者によって操作される透視撮像用撮影開始スイッチ３１と、撮像用撮影開始スイッチ３３とが接続されている。
【００３２】
制御部１１Ａは、透視用フットスイッチ１９と、透視撮像用撮影開始スイッチ３１と、撮像用撮影開始スイッチ３３とについて操作を監視しており、いずれかのスイッチが操作された場合には、その操作に応じた制御を行う。透視用フットスイッチ１９は、上記実施例１と同様に、撮影者により操作されると、予め設定されている透視用のＸ線条件でＸ線を曝射させるためのスイッチである。透視撮像用撮影開始スイッチ３１は、透視用のＸ線条件のまま透視像を記憶部２９へ記憶させるためのスイッチである。撮像用撮影開始スイッチ３３は、撮像用のＸ線条件でＸ線を曝射し、撮像を行うためのスイッチである。
【００３３】
次に、図４を参照して、上述した装置の動作について説明する。なお、図４は、動作の流れを示すフローチャートである。
【００３４】
ステップＳ２０
上述した実施例１のステップＳ１と同様に、被検体Ｍを載置した後、透視用フットスイッチ１９を操作して透視を開始する。
【００３５】
ステップＳ２１
透視が行われている際に、制御部１１Ａは、何れのスイッチ３１，３３が操作されるかを監視し、その結果に応じて処理を分岐する。つまり、透視撮像用撮影開始スイッチ３１が操作された場合には、ステップＳ２４へ移行し、撮像用撮影開始スイッチ３３が操作された場合には、ステップＳ２２へ移行する。また、これらのスイッチ３１，３３がいずれも操作されていない場合には、ステップＳ２３へ移行し、透視を継続する。
【００３６】
そして、ステップＳ２４〜Ｓ２８までは、コンソール１３Ａのモード設定スイッチ１７の状態に応じて分岐する。これらは、上述した実施例１のステップＳ５〜Ｓ９と同様である。
【００３７】
ステップＳ２２
撮像用撮影開始スイッチ３３が操作された場合には、透視用のＸ線条件に代えて撮像用のＸ線条件で高電圧発生器９を制御し、Ｘ線管５からＸ線を曝射させる。
【００３８】
ステップＳ２９
透視用フットスイッチ１９が解除されたか否かに応じて、処理を分岐する。すなわち、透視用フットスイッチ１９が解除された場合には透視を終了する一方、解除されていない場合にはステップＳ２１に戻る。
【００３９】
上述したように、この実施例２の装置によると、撮像用撮影開始スイッチ３３が操作された場合には、Ｘ線検出器７からの信号に基づく撮影像を記憶部２９に記憶させる通常の撮像が行われる一方、透視時に透視撮像用撮影開始スイッチ３３が操作された場合には、Ｘ線検出器７からの信号に基づく透視像を記憶部２９に記憶させる透視撮像が行われる。したがって、撮影者が透視像を記録したいと考えた任意の時点で、単に透視撮像用開始スイッチ３１を操作するだけで透視像を記録できる。その結果、煩雑な設定を予め行うことなく、任意の時点での透視像を容易に記録できる。
【００４０】
この発明は、上記実施形態に限られることはなく、下記のように変形実施することができる。
【００４１】
（１）上述した各実施例１，２では、モード設定スイッチ１７を備えているが、常に「一枚撮りモード」か「連続撮影モード」のいずれかの固定として、モード選択スイッチ１７を省略してもよい。
【００４２】
（２）上述した各実施例１，２では、ベッド１を備えているが、ベッド１に代えて治療用椅子等の他の構成を備えていてもよい。
【図面の簡単な説明】
【００４３】
【図１】実施例１に係るＸ線透視撮影装置の概略構成を示すブロック図である。
【図２】動作の流れを示すフローチャートである。
【図３】実施例２に係るＸ線透視撮影装置の概略構成を示すブロック図である。
【図４】動作の流れを示すフローチャートである。
【符号の説明】
【００４４】
Ｍ  …  被検体
３  …  Ｘ線撮影部
５  …  Ｘ線管
７  …  Ｘ線検出器
１１  …  制御部
１３  …  コンソール
１５  …  透視撮像スイッチ
１７  …  モード設定スイッチ
１９  …  透視用フットスイッチ
２１  …  撮影開始用ハンドスイッチ
２３  …  画像処理部
２７  …  表示部
２９  …  記憶部
【図１】
2007185238.tif 000003
【図２】
2007185238.tif 000004
【図３】
2007185238.tif 000005
【図４】
2007185238.tif 000006